(57)【要約】【課題】簡便な方法で生体情報の測定精度を向上可能な測定装置、測定システム、測定方法、及び測定装置を備える電子機器を提供する。【解決手段】被検部位を測定部１６に接触させて生体情報を測定する測定装置１０であって、被検部位から生体測定出力を取得する生体センサ１２と、測定部１６における被検部位の接触圧力を検出する圧力検出部１１と、接触圧力に関する情報を通知する通知部１４と、生体測定出力に基づいて、生体情報を測定する制御部１３とを備える。【選択図】図１
2015208342.tif 000002
【特許請求の範囲】
【請求項１】
被検部位を測定部に接触させて生体情報を測定する測定装置であって、
前記被検部位から生体測定出力を取得する生体センサと、
前記測定部における前記被検部位の接触圧力を検出する圧力検出部と、
前記接触圧力に関する情報を通知する通知部と、
前記生体測定出力に基づいて、前記生体情報を測定する制御部と
を備える測定装置。
【請求項２】
前記制御部は、前記接触圧力が所定の範囲のときの前記生体測定出力に基づいて、前記生体情報を測定する、請求項１に記載の測定装置。
【請求項３】
前記通知部は、前記接触圧力が前記所定の範囲にあるか否かに関する情報を通知する、請求項２に記載の測定装置。
【請求項４】
前記通知部は、
前記接触圧力が、前記生体測定出力の取得に適した適正圧力の範囲に含まれるときと、
前記接触圧力が、前記適正圧力の範囲に含まれず、かつ前記生体測定出力の取得を許容する許容圧力の範囲に含まれるときと、
前記接触圧力が、前記許容圧力の範囲に含まれないときと
において、それぞれ異なる通知を行う、請求項１に記載の測定装置。
【請求項５】
前記通知部は、前記適正圧力及び前記許容圧力の少なくとも一方と、前記接触圧力との差に関する情報を通知する、請求項４に記載の測定装置。
【請求項６】
前記通知部は、音の出力、画像の表示、発光若しくは振動の出力又はこれらの任意の組合せにより前記通知を行う、請求項１に記載の測定装置。
【請求項７】
前記測定した生体情報と、該生体情報の測定時の接触圧力とを対応付けたデータを記憶する記憶部をさらに備え、
前記制御部は、前記圧力検出部が検出した接触圧力及び前記生体センサが取得した生体測定出力に基づき、前記データを参照して生体情報を測定する、請求項１に記載の測定装置。
【請求項８】
前記通知部は、さらに、前記生体情報の測定結果に関する情報を通知する、請求項１記載の測定装置。
【請求項９】
前記生体センサは、前記接触圧力が前記所定の範囲にあるときに起動される、請求項２に記載の測定装置。
【請求項１０】
請求項１乃至請求項９のいずれか一項に記載の測定装置を備える電子機器。
【請求項１１】
被検部位を測定部に接触させて生体情報を測定する測定システムであって、
前記被検部位から生体測定出力を取得する生体センサ、前記測定部における前記被検部位の接触圧力を検出する圧力検出部、及び前記接触圧力に関する情報を通知する通知部を備える測定端末と、
前記生体測定出力に基づいて、前記生体情報を測定する制御部を備えるサーバと
を含む測定システム。
【請求項１２】
被検部位を測定部に接触させて生体情報を測定するにあたり、
前記被検部位から生体測定出力を取得する取得ステップと、
前記測定部における前記被検部位の接触圧力を検出する検出ステップと、
前記接触圧力に関する情報を通知する通知ステップと、
前記生体測定出力に基づいて、前記生体情報を測定する測定ステップと
を含む測定方法。
【発明の詳細な説明】
【技術分野】
【０００１】
本発明は、測定装置、測定システム、測定方法、及び測定装置を備える電子機器に関する。
【背景技術】
【０００２】
従来、被検者（ユーザ）の指先等の被検部位から生体出力情報を取得して、生体情報を測定する測定装置が知られている。例えば、生体情報として血流を測定する血流測定装置は、レーザ光を指先に照射し、指先の毛細血管の血流からの反射光に基づいて血流を測定する（例えば、特許文献１参照）。
【０００３】
ところで、指先の毛細血管の状態は測定装置への接触状態によって変化する。すなわち、指先から測定装置にかかる圧力が適正な範囲よりも強い場合及び弱い場合には、血流を正確に測定できない。従って、生体情報を正確に測定するためには、被検部位を適切に測定装置に接触させることが必要である。そのために、従来は、被検部位を固定するための固定機構を使用したり、テーピング等によって指先と測定装置との接触状態を固定したりする等の接触状態を安定させる手段を使用している。
【先行技術文献】
【特許文献】
【０００４】
【特許文献１】実公平３−２１２０８号公報
【発明の概要】
【発明が解決しようとする課題】
【０００５】
生体情報の測定装置を携帯電話機等の電子機器に搭載する場合には、電子機器の構造的な特徴から、従来のような接触状態を安定させる手段を適用することが困難な場合がある。かかる手段を使用しない場合には、被検部位の接触状態は、ユーザによる測定装置への接触の加減によって変化するため、生体情報を正確に測定できなくなる。そこで、かかる手段を使用しなくても、生体情報の測定精度が向上できれば、ユーザにとっての利便性は高まる。
【０００６】
かかる事情に鑑みてなされた本発明の目的は、簡便な方法で生体情報の測定精度を向上可能な測定装置、測定システム、測定方法、及び測定装置を備える電子機器を提供することにある。
【課題を解決するための手段】
【０００７】
上記課題を解決するため、本発明に係る測定装置は、
被検部位を測定部に接触させて生体情報を測定する測定装置であって、
前記被検部位から生体測定出力を取得する生体センサと、
前記測定部における前記被検部位の接触圧力を検出する圧力検出部と、
前記接触圧力に関する情報を通知する通知部と、
前記生体測定出力に基づいて、前記生体情報を測定する制御部とを備える。
【０００８】
前記制御部は、前記接触圧力が所定の範囲のときの前記生体測定出力に基づいて、前記生体情報を測定してもよい。
【０００９】
前記通知部は、前記接触圧力が前記所定の範囲にあるか否かに関する情報を通知してもよい。
【００１０】
前記通知部は、
前記接触圧力が、前記生体測定出力の取得に適した適正圧力の範囲に含まれるときと、
前記接触圧力が、前記適正圧力の範囲に含まれず、かつ前記生体測定出力の取得を許容する許容圧力の範囲に含まれるときと、
前記接触圧力が、前記許容圧力の範囲に含まれないときと
において、それぞれ異なる通知を行ってもよい。
【００１１】
前記通知部は、前記適正圧力及び前記許容圧力の少なくとも一方と、前記接触圧力との差に関する情報を通知してもよい。
【００１２】
前記通知部は、音の出力、画像の表示、発光若しくは振動の出力又はこれらの任意の組合せにより前記通知を行ってもよい。
【００１３】
前記測定した生体情報と、該生体情報の測定時の接触圧力とを対応付けたデータを記憶する記憶部をさらに備え、
前記制御部は、前記圧力検出部が検出した接触圧力及び前記生体センサが取得した生体測定出力に基づき、前記データを参照して生体情報を測定してもよい。
【００１４】
前記通知部は、さらに、前記生体情報の測定結果に関する情報を通知してもよい。
【００１５】
前記生体センサは、前記接触圧力が前記所定の範囲にあるときに起動されてもよい。
【００１６】
また、本発明は上述した測定装置を備える電子機器としても実現し得る。
【００１７】
また、本発明は上述した測定装置に実質的に相当するシステム及び方法としても実現し得るものであり、本発明の範囲にはこれらも包含されるものと理解されたい。
【００１８】
例えば、本発明に係る測定システムは、
被検部位を測定部に接触させて生体情報を測定する測定システムであって、
前記被検部位から生体測定出力を取得する生体センサ、前記測定部における前記被検部位の接触圧力を検出する圧力検出部、及び前記接触圧力に関する情報を通知する通知部を備える測定端末と、
前記生体測定出力に基づいて、前記生体情報を測定する制御部を備えるサーバとを含む。
【００１９】
また、本発明に係る測定方法は、
被検部位を測定部に接触させて生体情報を測定するにあたり、
前記被検部位から生体測定出力を取得する取得ステップと、
前記測定部における前記被検部位の接触圧力を検出する検出ステップと、
前記接触圧力に関する情報を通知する通知ステップと、
前記生体測定出力に基づいて、前記生体情報を測定する測定ステップとを含む。
【発明の効果】
【００２０】
本発明によれば、簡便な方法で生体情報の測定精度を向上可能な測定装置、測定システム、測定方法、及び測定装置を備える電子機器を提供できる。
【図面の簡単な説明】
【００２１】
【図１】本発明の一実施の形態に係る測定装置の概略構成を示すブロック図である。
【図２】測定装置の使用状態の一例を示す図である。
【図３】通知部による接触圧力に関する情報の通知方法の一例を示す図である。
【図４】図１の測定装置が行う血流量の測定処理の一例を示す図である。
【図５】図１の測定装置を搭載した携帯電話機の一例を示す図である。
【図６】本発明をシステムとして実現した場合における測定端末とサーバとの概略構成の一例を示すブロック図である。
【発明を実施するための形態】
【００２２】
以下、本発明の一実施の形態について、図面を参照して詳細に説明する。
【００２３】
図１は、本発明の一実施の形態に係る測定装置の概略構成を示すブロック図である。測定装置１０は、圧力検出部１１と、生体センサ１２と、制御部１３と、通知部１４と、記憶部１５と、測定部１６と、表示部１７とを備える。
【００２４】
測定装置１０は、生体センサ１２を使用して、測定部１６に接触する被検者（ユーザ）の生体測定出力を取得し、生体測定出力に基づいて生体情報を測定する。図２は、測定装置１０の使用状態の一例を示す図であり、ユーザが、測定装置１０に被検部位である手の指を押し当てた状態を示す図である。測定装置１０は、図２のように指が測定部１６に押し当てられた状態において、生体センサ１２を使用して生体測定出力を取得し、生体情報を測定する。
【００２５】
測定装置１０が生体センサ１２において生体測定出力を取得する際には、測定部１６に接触する指（被検部位）の接触圧力について、取得に適した適正圧力の範囲が存在する場合がある。すなわち、測定部１６における接触圧力が強すぎる場合又は弱すぎる場合に、例えば被検部位が圧力の影響を受けたり、ノイズの影響を受けたりすることにより、正確な生体測定出力を取得できない場合がある。正確な生体測定出力を取得できないと、精度の高い生体情報を測定が困難となる。
【００２６】
そこで、本実施の形態における測定装置１０は、圧力検出部１１において、測定部１６に接触する被検部位の接触圧力を検出する。そして、測定装置１０は、制御部１３において、接触圧力が所定の範囲のときの生体測定出力に基づいて、生体情報を測定する。このとき、測定装置１０は、接触圧力に関する情報を通知部１４から通知する。かかる通知により、ユーザは、接触圧力が所定の範囲、例えば生体情報の測定に適した適正範囲にあるか否かや、接触圧力が所定の範囲の圧力よりも強いか又は弱いか等、接触圧力に関する情報を知ることができる。
【００２７】
なお、測定装置１０が測定する生体情報は、生体センサ１２を使用して測定可能な任意の生体情報とすることができるが、本実施の形態の説明においては、一例として、測定装置１０は、生体情報として被検者の血流量を測定するとして、以下説明を行う。
【００２８】
圧力検出部１１は、測定部１６における被検部位の接触圧力を検出する。圧力検出部１１は、例えば、圧電素子により構成される。圧力検出部１１は、制御部１３に接続されており、検出した圧力信号を制御部１３に送信する。
【００２９】
生体センサ１２は、被検部位から生体測定出力を取得する。本実施の形態のように、測定装置１０が血流量を測定する場合、生体センサ１２は、例えば照射部２１と受光部２２とを有する。照射部２１は、測定部１６に接触する被検部位に測定光を照射する。照射部２１は、例えば、血液中に含まれる所定の成分を検出可能な波長のレーザ光を測定光として照射するレーザ光源であり、例えばＬＤ（レーザダイオード：Laser Diode）により構成される。また、受光部２２は、照射部２１が被検部位に測定光を照射することによって、生体測定出力としての、被検部位から反射される反射光（検出光）を受光する。受光部２２は、ＰＤ（フォトダイオード：Photo Diode）により構成される。生体センサ１２は、受光部２２において受光した反射光の光電変換信号を制御部１３に送信する。
【００３０】
生体センサ１２は、例えば、接触圧力が上述の所定の範囲にあるときに起動されてもよい。測定装置１０は、接触圧力が上述の所定の範囲にあるときの生体測定出力に基づいて生体情報を測定するため、生体センサ１２は、少なくとも接触圧力が上述の所定の範囲にあるときの生体測定出力を取得すれば十分である。また、生体センサ１２が、接触圧力が上述の所定の範囲にあるときに起動されることにより、生体測定出力を取得する必要がないときに、照射部２１からレーザ光が照射され、周囲にレーザ光が漏れることを防ぐことができる。
【００３１】
制御部１３は、測定装置１０の各機能ブロックをはじめとして、測定装置１０の全体を制御及び管理するプロセッサである。制御部１３は、制御手順を規定したプログラムを実行するＣＰＵ（Central Processing Unit）等のプロセッサで構成され、かかるプログラムは、例えば記憶部１５又は外部の記憶媒体等に格納される。
【００３２】
また、制御部１３は、生体センサ１２による生体測定出力の取得が終了したか否かを判定する。制御部１３は、例えば、生体センサ１２が生体測定出力の取得を開始してから、所定時間経過後に、生体測定出力の取得が終了したと判断してもよい。また、制御部１３は、例えば、生体センサ１２が、生体情報を測定するために十分な生体測定出力を取得したとき、生体測定出力の取得が終了したと判断してもよい。
【００３３】
また、制御部１３は、測定部１６における接触圧力が所定の範囲のときの生体測定出力に基づいて、生体情報を測定する。制御部１３は、例えば、受光部２２が受光した反射光の強度の変化に基づいて、血流量を測定するアルゴリズム又はテーブル等を使用して、生体情報としての血流量を測定する。また、制御部１３は、接触圧力が所定の範囲のときの生体測定出力に基づいて生体情報を測定するために、圧力検出部１１が検出した接触圧力に基づいて、接触圧力が所定の範囲であるか否かを判断できる。
【００３４】
ここで、制御部１３による、ドップラーシフトを利用した血流量測定技術について説明する。制御部１３は、血流量を測定する際に、生体の組織内に照射部２１からレーザ光を照射し、受光部２２により生体の組織内から散乱された散乱光を受光する。そして、制御部１３は、受光されたレーザ光の測定結果に基づいて血流量を演算する。
【００３５】
生体の組織内において、動いている血球から散乱された散乱光は、血液中の血球の移動速度に比例したドップラー効果による周波数シフト（ドップラーシフト）を受ける。制御部１３は、静止した組織からの散乱光と、動いている血球からの散乱光との光の干渉によって生じるうなり信号（ビート信号ともいう）を検出する。このうなり信号は、強度を時間の関数として表したものである。そして、制御部１３は、このうなり信号を、パワーを周波数の関数として表したパワースペクトルにする。このうなり信号のパワースペクトルでは、ドップラーシフト周波数は血球の速度に比例し、パワーは血球の量に対応する。そして、制御部１３は、うなり信号のパワースペクトルに周波数をかけて積分することにより血流量を求める。
【００３６】
通知部１４は、測定部１６における接触圧力に関する情報を、被検者であるユーザに通知する。測定装置１０は、接触圧力が所定の範囲のときの生体測定出力に基づいて生体情報を測定する。すなわち、接触圧力が所定の範囲となることが生体情報を測定するための条件となる。そこで、通知部１４は、接触圧力に関する情報を通知することによって、接触圧力を所定の範囲に調整するように、ユーザに促すことができる。
【００３７】
通知部１４は、接触圧力を所定の範囲に調整することを促すという観点に鑑み、接触圧力に関する情報として、接触圧力が所定の範囲にあるか否かに関する情報を通知することができる。これにより、ユーザの利便性が高まる。
【００３８】
さらに、通知部１４は、接触圧力に関する情報として、接触圧力が適正圧力の範囲に含まれるか否か、及び、接触圧力が許容圧力の範囲に含まれるか否かに関する情報を通知することができる。なお、本明細書において、適正圧力は、生体測定出力の取得に適した圧力の範囲であり、許容圧力は、生体測定出力の取得を許容する圧力の範囲である。測定装置１０は、接触圧力が適正圧力であるときに生体測定出力を取得することにより、高い精度の生体情報の測定が可能となるが、適正圧力の範囲が狭く、ユーザが接触圧力を適正圧力に調整することが難しい場合がある。このような場合に、測定装置１０が、接触圧力が適正圧力の範囲にないために、生体情報の測定を行わないことは、ユーザにとっては不便である。そこで、測定装置１０は、適正圧力とは別に、適正圧力の範囲よりも広い範囲で生体出力測定の取得を許容する許容圧力の範囲を設定することができる。測定装置１０は、接触圧力が許容圧力の範囲にあるときにも生体測定出力を取得することにより、測定精度を所定の水準以上に維持しつつ、ユーザにとっての利便性を高めることができる。測定装置１０が、このように適正圧力及び許容圧力の範囲を設定したとき、通知部１４が、接触圧力が適正圧力及び許容圧力の範囲に含まれるか否かをそれぞれ通知することによって、ユーザの利便性が高まる。
【００３９】
通知部１４は、接触圧力が適正圧力の範囲に含まれるときと、接触圧力が適正圧力の範囲に含まれず、かつ許容圧力の範囲に含まれるときと、接触圧力が許容圧力の範囲に含まれないときとにおいて、それぞれ異なる通知を行うことができる。また、通知部１４は、ユーザが認識可能な任意の方法により、通知を行うことができる。以下、通知部１４の形態と通知の方法について、いくつかの例を示して説明する。
【００４０】
例えば、通知部１４は、スピーカを有し、音の出力によって接触圧力に関する情報を通知できる。例えば、通知部１４は、接触圧力が適正圧力の範囲内のときに音を出力せず、接触圧力が適正圧力の範囲外で許容圧力の範囲内のときに低音のビープ音を出力し、接触圧力が許容圧力の範囲外のときに高音のビープ音を出力する。このように、接触圧力に応じて音の出力による通知方法を変えることにより、ユーザは、高音のビープ音が出力されているときに、接触圧力が許容圧力の範囲外であり、測定装置１０が生体測定出力の取得を行っていないことを知ることができる。この場合、ユーザは、接触圧力が許容圧力の範囲内となるよう、測定部１６における指の圧力を調整する。
【００４１】
また、通知部１４は、例えば接触圧力が許容圧力の範囲内のときにビープ音の出力を実行し、接触圧力が許容圧力の範囲外のときにビープ音の出力を停止してもよい。これにより、ユーザは、ビープ音が出力されているときに、測定装置１０により生体測定出力が取得されていることを知ることができる。このようにして、測定装置１０は、ユーザに、測定部１６に接触させた指の圧力を許容圧力の範囲内に維持することを促すことができる。このとき、通知部１４は、接触圧力が適正圧力の範囲内であるとき、接触圧力が許容圧力の範囲内のときのビープ音とは異なる高さのビープ音を通知してもよい。
【００４２】
また、上述の説明では、通知部１４は、スピーカから異なる高さの音のビープ音を出力するとして説明したが、通知部１４の通知方法は、これに限られない。通知部１４は、接触圧力に応じて、例えば異なるパターンのビープ音を出力してもよい。また、通知部１４は、接触圧力に応じて、例えば異なるメロディの音楽を出力してもよい。これらの場合、ユーザは、それぞれビープ音のパターン及びメロディによって、接触圧力に関する情報を知ることができる。
【００４３】
また、例えば、通知部１４は、表示部１７への画像の表示によって接触圧力に関する情報を通知できる。例えば、通知部１４は、接触圧力が適正圧力の範囲内のときに所定の画像を表示部１７に表示し、接触圧力が適正圧力の範囲外で許容圧力の範囲内のときに異なる画像を表示部１７に表示し、接触圧力が許容圧力の範囲外のときにさらに異なる画像を表示部１７に表示させることができる。かかる通知方法により、ユーザは、表示された画像に応じて接触圧力に関する情報を知ることができる。また、例えば、通知部１４は、接触圧力が適正圧力の範囲内のときに画像を表示部１７に表示せず、接触圧力が適正圧力の範囲外で許容圧力の範囲内のときに第１の画像を表示部１７に表示し、接触圧力が許容圧力の範囲外のときに第１の画像と異なる第２の画像を表示部１７に表示させることができる。
【００４４】
また、通知部１４は、表示部１７に文字を表示して、接触圧力に関する情報を通知してもよい。例えば、通知部１４は、接触圧力が適正圧力の範囲内のときに「最適」と表示部１７に表示し、接触圧力が適正圧力の範囲外で許容圧力の範囲内のときに「測定可」と表示部１７に表示し、接触圧力が許容圧力の範囲外のときに「測定不可」と表示部１７に表示させることができる。もちろん、これら表示する文字は上記文字に限定されるものではなく、その他の適宜な文字を組み合わせて用いてよい。
【００４５】
また、例えば、通知部１４は、発光素子を有し、発光素子の発光によって接触圧力に関する情報を通知できる。例えば、通知部１４は、接触圧力が適正圧力の範囲内のときに発光素子に青色の光を発光させ、接触圧力が適正圧力の範囲外で許容圧力の範囲内のときに緑色の光を発光させ、接触圧力が許容圧力の範囲外のときに赤色の光を発光させることができる。かかる通知方法により、ユーザは、色に応じて接触圧力に関する情報を知ることができる。もちろん、これら発光する色は上記色に限定されるものではなく、その他の適宜な色を組み合わせて用いてよい。
【００４６】
また、通知部１４の通知方法は、発光素子の発光色の変化に限られない。通知部１４は、接触圧力に応じて、例えば発光素子を点灯又は消灯させてもよい。また、通知部１４は、接触圧力に応じて、例えば発光素子の点滅パターンを変化させてもよい。これらの場合、ユーザは、それぞれ発光素子の点灯状態又は点滅パターンによって、接触圧力に関する情報を知ることができる。
【００４７】
また、例えば、通知部１４は、バイブレータや圧電素子等の振動部を有し、振動部の振動によって接触圧力に関する情報を通知できる。例えば、通知部１４は、接触圧力が許容圧力の範囲外であるときに振動部を振動させ、接触圧力が許容圧力の範囲内となったときに、振動部に所定のパターンの振動を一度出力させ、接触圧力が適正圧力の範囲内となったときに、振動部にさらに異なるパターンの振動を一度出力させることができる。かかる通知方法により、ユーザは、振動のパターンに応じて接触圧力に関する情報を知ることができる。なお、振動による通知においては、振動のパターンの他に、例えば、振動の継続時間又は振動の強度などを変化させてもよい。また、振動による通知方法は、ここで説明した方法に限られないが、通知部１４が振動により通知を行う場合には、振動によって被検部位の圧力が変化しないことが好ましい。
【００４８】
以上、通知部１４による、音の出力、画像の表示、発光又は振動の出力の通知方法について説明したが、通知部１４による通知方法は、上述のものに限られない。また、通知部１４は、接触圧力が許容圧力の範囲外であるとき、許容圧力の範囲よりも接触圧力が強い場合と弱い場合とで、異なる方法により通知を行ってもよい。また、通知部１４は、複数の任意の通知方法を組み合わせて接触圧力を通知してもよい。
【００４９】
通知部１４は、さらに、適正圧力及び許容圧力の少なくとも一方と、接触圧力との差に関する情報を通知してもよい。ここで、通知部１４が、適正圧力及び許容圧力と、接触圧力との差に関する情報を通知する方法について、図３を参照して具体的に説明する。
【００５０】
図３は、通知部１４による接触圧力に関する情報の通知方法の一例を示す図である。具体的には、図３は、通知部１４が表示部１７に表示させるインジケータ３０を示すものである。図３に記載のインジケータ３０は、生体測定出力の取得に最も適した圧力を中心にして、接触圧力を示す黒点により表示されたポインタ３１を左右に移動させることにより、ユーザに圧力の強さを感覚的に通知する。インジケータ３０においては、ポインタ３１が右側に移動するほど接触圧力が強いことを示し、左側に移動するほど接触圧力が弱いことを示す。また、図３（ａ）の領域Ｒ１は、適正圧力の範囲を示し、領域Ｒ２は、許容圧力の範囲を示す。
【００５１】
図３（ａ）では、ポインタ３１がインジケータ３０の左端の領域Ｒ２の外に位置する。これは、接触圧力が弱く、許容圧力の範囲外であることを示す。ユーザは、図３（ａ）の表示を確認したとき、生体測定出力を生体センサ１２に取得させるために、被検部位の指を、より強く測定部１６に接触させるべきであることを認識できる。
【００５２】
図３（ｂ）では、ポインタ３１が、図３（ａ）におけるポインタ３１よりも、インジケータ３０の中央に近い位置に表示されている。すなわち、ユーザは、図３（ａ）の場合よりも、図３（ｂ）の場合に、より強く指を測定部１６に接触させた結果、接触圧力が許容圧力に近づき、その差が小さくなったことを理解できる。しかし、図３（ｂ）の場合においても、ポインタ３１はインジケータ３０の左側の領域Ｒ２の外に位置するため、接触圧力は、許容圧力の範囲外である。従って、図３（ｂ）の表示を確認したユーザは、生体測定出力を生体センサ１２に取得させるために、被検部位の指を、より強く測定部１６に接触させるべきであることを認識できる。
【００５３】
図３（ｃ）では、ポインタ３１が、領域Ｒ２内であって領域Ｒ１外の位置に表示されている。これは、接触圧力が、許容圧力の範囲内であって適正圧力の範囲外となったことを示す。この状態で、生体センサ１２は、生体測定出力を取得できる。しかし、ユーザは、より精度の高い測定結果を得るために、接触圧力をより強くして適正圧力の範囲内とすることができる。
【００５４】
図３（ｄ）では、ポインタ３１が領域Ｒ１内に位置するため、接触圧力が適正圧力の範囲内となっている。仮に、ユーザがさらに測定部１６に強い圧力をかけた場合、ポインタ３１は、インジケータ３０においてさらに右側に移動する。
【００５５】
このように、通知部１４は、適正圧力及び許容圧力の少なくとも一方と、接触圧力との差に関する情報を通知することにより、ユーザは、測定部１６に接触させた指の圧力をどの程度加圧又は減圧すればよいのかを容易に認識できる。そのため、ユーザは、接触圧力を調節しやすくなる。また、このような表示により、ユーザは、インジケータ３０を確認しながら、接触圧力を適正圧力又は許容圧力の範囲内に維持するよう調整しやすくなる。
【００５６】
なお、差に関する情報の表示は、上述の例に限られない。通知部１４は、例えば、圧力に関する数値を表示部１７に表示させることにより、差に関する情報を表示してもよい。具体的には、通知部１４は、例えば、生体測定出力の取得に最適な圧力を、基準値「０」に対応付け、この圧力よりも接触圧力が強い場合に正の数、接触圧力が弱い場合に負の数を、表示部１７に表示させることにより、ユーザに圧力の強さを感覚的に通知する。また、通知部１４は、適正圧力及び許容圧力の範囲として、それぞれ適当な数値範囲を設定する。例えば、通知部１４は、数値範囲「−１０〜＋１０」を適正圧力の範囲、数値範囲「−２０〜＋２０」を許容圧力の範囲として設定する。例えば表示部１７に「−３０」という数値が表示された場合、ユーザは、接触圧力が弱く、許容圧力の範囲外であると認識できる。また、例えば表示部１７に「＋１５」という数値が表示された場合、ユーザは、接触圧力が適正圧力よりも強いが、許容圧力の範囲内に含まれると認識できる。このように、通知部１４がユーザに圧力の強さを感覚的に通知することにより、ユーザは、指の圧力を調整することで、接触圧力を調整できる。
【００５７】
また、通知部１４は、生体センサ１２により生体測定出力の取得を開始及び終了したときに、ユーザに通知を行うことができる。取得開始の通知を行うことにより、ユーザは、指の押圧状態を保持すべきことを認識でき、また、取得終了の通知を行うことにより、ユーザは、指を測定部１６から離してもよいことを認識できる。
【００５８】
また、通知部１４は、生体情報の測定結果に関する情報を通知してもよい。本実施の形態においては、通知部１４は、例えば、制御部１３が測定した血流量の値に基づいて、所定の閾値を基準にして、血液が「さらさら」であるか又は「どろどろ」であるかを通知する。通知部１４は、任意の方法により通知を行うことができ、例えば、血液が「さらさら」の場合と「どろどろ」の場合とで、異なる音を出力したり、異なるパターンの振動を出力したり、又は異なる色の発光を行ったりすることができる。
【００５９】
記憶部１５は、半導体メモリ等で構成することができ、各種情報や測定装置１０を動作させるためのプログラム等を記憶するとともに、ワークメモリとしても機能する。また、記憶部１５は、測定装置１０が測定した生体情報と、生体情報の測定時の接触圧力とを対応付けた履歴データを記憶する。制御部１３は、生体情報を測定する際に、圧力検出部１１が検出した接触圧力及び生体センサ１２が測定した生体測定出力に基づき、履歴データを参照して生体情報を測定してもよい。
【００６０】
このように制御部１３が、履歴データを参照して生体情報を測定するとき、生体センサ１２は、例えば、所定の時間に、所定の個数の生体測定出力を取得する。所定の時間及び所定の個数は、それぞれ任意の時間及び任意の個数とすることができ、例えば、生体センサ１２は、５秒間に、各１秒間の５回の測定を行うことにより、５つの生体測定出力を取得する。ここで、ユーザが接触圧力を一定に維持させることは難しいため、５つの生体測定出力は、それぞれ異なる接触圧力で測定されると考えられる。また、接触圧力によって、生体測定出力の測定精度も異なることが想定される。例えば、図３に示すインジケータにおいては、ポインタ３１がインジケータ３０の中心に近いほど、生体測定出力の測定精度が高い傾向を示すことがある。
【００６１】
そこで、制御部１３は、履歴データを参照して、５つの生体測定出力にそれぞれ対応付けられた接触圧力のうち、生体情報の測定精度が最も高い接触圧力を特定する。そして、制御部１３は、取得した５つの生体測定出力のうち、測定精度が最も高いと特定した接触圧力に対応する生体測定出力に基づいて、生体情報を測定する。
【００６２】
また、履歴データを参照した他の生体情報の測定方法の一例として、制御部１３は、履歴データを参照して、５つの生体測定出力のそれぞれの接触圧力ごとに、生体情報の測定精度に応じた重みづけを決定する。例えば、制御部１３は、測定精度が高い接触圧力に関する生体測定出力に、高い重みづけを行うことを決定する。そして、制御部１３は、生体センサ１２で５つの生体測定出力について、決定した重みづけを加味した加重平均を算出することにより、生体情報を測定する。
【００６３】
このように、制御部１３は、記憶部１５に記憶された履歴データを考慮して生体情報を測定することにより、生体情報の測定精度を向上させることができる。
【００６４】
測定部１６は、ユーザが生体情報を測定するために、指等の被検部位を接触させる部分である。測定部１６は、例えば、板状の部材により構成できる。また、測定部１６は、少なくとも測定光及び検出光に対して透明な部材により構成してもよい。圧力検出部１１は、測定部１６に指等が接触したときに、測定部１６にかかる圧力を検出して、検出した接触圧力を制御部１３に送信する。
【００６５】
表示部１７は、例えば周知のディスプレイにより構成される表示デバイスである。表示部１７は、例えば制御部１３が測定した生体情報を表示する。
【００６６】
図４は、図１の測定装置１０が行う血流量の測定処理の一例を示す図である。ここで、図４を参照して、測定装置１０による血流量の測定方法について説明する。
【００６７】
ユーザは、血流量の測定を行うために、まず被検部位である指を測定部１６に接触させる。すると、圧力検出部１１が、測定部１６における指の接触圧力を検出する（ステップＳ１０１）。そして、制御部１３は、圧力検出部１１が検出した接触圧力が、許容圧力の範囲内であるか否かを判断する（ステップＳ１０２）。ここで、制御部１３は、接触圧力が適正圧力の範囲内であるか否かをさらに判断してもよいが、本実施の形態においては、接触圧力が少なくとも許容圧力の範囲内であれば、次のステップＳ１０４以降に進んで、圧力の測定を行うことができるため、図４のフローにおいては、記載を省略している。
【００６８】
制御部１３が、接触圧力が許容圧力の範囲内でないと判断したとき（ステップＳ１０２のＮｏ）、通知部１４は、接触圧力に関する情報を通知する（ステップＳ１０３）。ステップＳ１０３における通知は、少なくとも接触圧力が許容圧力の範囲内でないことを示す通知であればよいが、許容圧力と接触圧力との差に関する情報を含む通知であることが好ましい。ユーザは、ステップＳ１０３における通知部１４の通知を確認した場合、指に加える力を調整することにより、接触圧力を変化させる。圧力検出部１１は、継続して測定部１６における接触圧力を検出しているため、ユーザが調整した接触圧力の変化を検出する（ステップＳ１０１）。そして、制御部１３は、圧力検出部１１の検出に応じて、接触圧力が許容圧力の範囲内であるか否かを判断する（ステップＳ１０２）。測定装置１０は、このようにして、接触圧力が許容圧力の範囲内となるまで、ステップＳ１０１からステップＳ１０３を繰り返す。
【００６９】
制御部１３は、接触圧力が許容圧力の範囲内であると判断したとき（ステップＳ１０２のＹｅｓ）、生体センサ１２を起動する。そして、生体センサ１２は、生体測定出力を取得する（ステップＳ１０４）。また、圧力検出部１１は、生体センサ１２が生体測定出力を取得しているときにも、継続して接触圧力を検出する（ステップＳ１０５）。そして、制御部１３は、接触圧力が許容圧力の範囲内であるか否かを判断する（ステップＳ１０６）。生体センサ１２が生体測定出力を取得しているときに、制御部１３が、接触圧力が許容圧力の範囲内でないと判断したとき（ステップＳ１０６のＮｏ）、生体センサ１２は、生体測定出力の取得を中断する（ステップＳ１０７）。そして、通知部１４は、接触圧力に関する情報をユーザに通知する（ステップＳ１０３）。ユーザは、ステップＳ１０３における通知部１４の通知を確認した場合、指に加える力を調整することにより、接触圧力を変化させる。この場合、フローはステップＳ１０１に戻る。すなわち、圧力検出部１１が、接触圧力を検出し（ステップＳ１０１）、制御部１３が、接触圧力が許容圧力の範囲内にあるか否かを判断する（ステップＳ１０２）。そして、制御部１３が、接触圧力が許容圧力の範囲内にあると判断したとき（ステップＳ１０２のＹｅｓ）、生体センサ１２は、再び生体測定出力の取得を行う（ステップＳ１０４）。
【００７０】
一方、生体センサ１２が生体測定出力を取得しているときに、制御部１３が、接触圧力が許容圧力の範囲を維持していると判断したとき（ステップＳ１０６のＹｅｓ）、制御部１３は、生体測定出力の取得が終了したか否かを判断する（ステップＳ１０８）。制御部１３が、生体測定出力の取得が終了していないと判断したとき（ステップＳ１０８のＮｏ）、生体センサ１２は、継続して生体測定出力を取得する（ステップＳ１０４）。このようにして、測定装置１０は、生体測定出力の取得が終了するまで、ステップＳ１０４からステップＳ１０８を繰り返す。なお、接触圧力が許容圧力の範囲を維持しており、生体センサ１２が継続して生体測定出力を取得しているときにも、通知部１４は、接触圧力に関する情報をユーザに通知していることが好ましい。
【００７１】
制御部１３が、生体測定出力の取得が終了したと判断したとき（ステップＳ１０８のＹｅｓ）、通知部１４は、生体測定出力の取得終了をユーザに通知する（ステップＳ１０９）。そして、制御部１３は、取得した生体測定出力に基づいて、生体情報を測定する（ステップＳ１１０）。最後に、通知部１４は、生体情報の測定結果をユーザに通知する（ステップＳ１１１）。
【００７２】
このように、本実施の形態に係る測定装置１０は、指を固定する手段を備えていなくとも、指の接触圧力が所定の範囲のときの生体測定出力に基づいて、生体情報を測定できる。そのため、測定装置１０によれば、固定手段を備えない簡便な方法により、高い精度で生体情報を測定できる。また、ユーザの指から測定部１６への接触圧力が所定の範囲内でないときに、通知部１４が通知を行うことにより、ユーザは、接触圧力を適切な範囲に調整しやすくなる。そのため、ユーザは、測定に適した接触状態を実現しやすく、生体情報の測定をスムーズに行うことができる。
【００７３】
なお、本発明は、上記実施の形態にのみ限定されるものではなく、幾多の変形または変更が可能である。例えば、各構成部、各ステップ等に含まれる機能等は論理的に矛盾しないように再配置可能であり、複数の構成部やステップ等を１つに組み合わせたり、或いは分割したりすることが可能である。
【００７４】
また、例えば、上記実施の形態に係る測定装置１０は、様々な電子機器に搭載することができる。図５は、図１の測定装置１０を搭載した携帯電話機の一例を示す図である。図５（ａ）に示すように、携帯電話機４０は、その背面側に測定装置１０を備える。また、図５（ａ）に一例として示す携帯電話機４０は、その背面側に背面ディスプレイ４１を備える。背面ディスプレイ４１には、例えば、接触圧力に関する情報がインジケータとして表示される。このように、測定装置１０が電子機器の搭載される場合、通知部１４は、電子機器から接触圧力に関する情報を通知してもよい。
【００７５】
図５（ｂ）は、ユーザが、測定装置１０を備える携帯電話機４０を使用して、生体情報の測定を行う場合の一例を示す図である。ユーザは、指を測定部１６に接触させることにより、測定装置１０に生体情報を測定させる。生体情報の測定を行う場合、通知部１４は、背面ディスプレイ４１に、接触圧力に関する情報をインジケータとして表示する。なお、接触圧力に関する情報の表示は、背面ディスプレイ４１により行うものに限られない。例えば、通知部１４は、携帯電話機４０が備えるスピーカから音を出力させたり、携帯電話機４０が備える発光素子を発光させたり、携帯電話機４０が備える振動部を振動させたりすることにより、接触圧力に関する情報を表示できる。
【００７６】
ユーザが、測定装置１０を備える携帯電話機４０を使用して、生体情報の測定を行う場合、測定装置１０は、ユーザが携帯電話機４０を使用して生体情報を測定するための専用アプリケーションを起動させることにより、生体情報の測定を開始してもよい。また、測定装置１０は、測定部１６において接触圧力を検知したときに、自動的に生体情報の測定を開始してもよい。この場合、ユーザは、アプリケーションを起動させることなく、指を測定部１６に接触させることにより、生体情報の測定を開始できる。
【００７７】
また、ユーザが、測定装置１０を備える携帯電話機４０を使用して、生体情報の測定を行ったとき、測定装置１０は、様々な方法でユーザに測定結果を通知することができる。例えば、測定装置１０は、測定した血流量の値に基づいて、所定の閾値を基準にして、血液が「さらさら」であるか又は「どろどろ」であるかを、携帯電話機４０が備えるディスプレイに表示してもよい。また、例えば、測定装置１０は、測定した血流量の値に基づいて、所定の閾値を基準にして、異なる音を再生してもよい。また、測定装置１０は、例えば、測定した血流量の値に基づいて、所定の閾値を基準にして、携帯電話機４０の操作性を変化させてもよい。この場合、ユーザは、携帯電話機４０を操作したときに、その操作性によって測定結果を知ることができる。
【００７８】
また、測定装置１０は、生体情報の測定を行ったとき、例えば測定が終了したことを示す通知のみを行ってもよい。測定装置１０は、例えば、携帯電話機４０の振動部を振動させることにより、このような通知を行うことができる。この場合、ユーザは、測定結果を知りたいときに、携帯電話機４０を操作して、結果を携帯電話機４０に表示させることができる。
【００７９】
また、例えば、携帯電話機４０における測定装置１０の配置は、図５に示すものに限定されない。測定装置１０は、例えば、携帯電話機４０の背面における他の部分に配置されてもよく、また、携帯電話機４０の表面又は側面等に配置されてもよい。
【００８０】
また、測定装置１０が搭載される電子機器は、携帯電話機４０に限られない。例えば、携帯型ミュージックプレイヤ、ノートパソコン、腕時計、タブレット端末、ゲーム機などの多岐にわたる任意の電子機器に測定装置１０を搭載できる。
【００８１】
また、上記実施の形態では、圧力検出部１１、生体センサ１２、制御部１３及び測定部１６等の全ての機能部を１つの装置上で実現するとして説明したが、本発明はこの態様に限定されるものではない。本発明は、例えば、図６に示すように、生体測定出力を取得し、測定結果を通知する測定端末５０と、生体測定出力に基づいて生体情報を測定するサーバ装置６０とにより、測定システムとして構成できる。
【００８２】
このように、本発明を測定システムとして構成した場合、測定端末５０は、圧力検出部５１において、測定部５６に接触する被検部位の接触圧力を測定し、生体センサ５２は、被検部位の生体測定出力を取得する。そして、測定端末５０は、通信部５８から、測定端末５０と有線若しくは無線又はこれらの組み合わせからなるネットワークで接続されたサーバ装置６０に、測定した接触圧力と取得した生体測定出力とを送信する。サーバ装置６０は、サーバ制御部６３において、通信部６８を介して受信した生体情報出力に基づき、生体情報を測定する。そして、サーバ装置６０は、測定した生体情報を、通信部６８を介して測定端末５０に送信する。測定端末５０は、受信した生体情報を通知部５４により、ユーザに通知する。
【００８３】
このように、本発明を測定システムとして構成した場合、全ての機能部を１つの測定装置上で実現する場合に比べて、測定端末５０の小型化等を実現することができる。
【符号の説明】
【００８４】
１０  測定装置
１１、５１  圧力検出部
１２、５２  生体センサ
１３  制御部
１４、５４  通知部
１５、６５  記憶部
１６、５６  測定部
１７、５７  表示部
２１  照射部
２２  受光部
３０  インジケータ
３１  ポインタ
４０  携帯電話機
４１  背面ディスプレイ
５０  測定端末
５３  端末制御部
５８、６８  通信部
６０  サーバ装置
６３  サーバ制御部
【図１】
2015208342.tif 000003
【図２】
2015208342.tif 000004
【図３】
2015208342.tif 000005
【図４】
2015208342.tif 000006
【図５】
2015208342.tif 000007
【図６】
2015208342.tif 000008